(57)【要約】      （修正有）【課題】平面上の形がほぼ一定で、厚さの異なるカード状の品物を簡単な方法で定着収納できる便利な容器を提供する。【解決手段】容器の中心に四角形の中心基板１があり、中心基板１の左右側面にゴムバンドを固定させるための溝３を作り、溝３にゴムバンド２を装着する。次に四角形の外版４を用意して、外板４の一方の端部を、中心基板１の前面とゴムバンド２の間に挟み込み、他方の一端を、中心基板１の後面とゴムバンド２の間に挟み込む。外板４は、中心基板１の周囲を囲むように装着し、収納するカード状の品物とゴムバンド２が接触しないようにする。ゴムバンドの収縮性のある弾力のみを利用し、品物に密着することなく容易に品物の出し入れが可能になり、ゴムバンド２の収縮可能な範囲まで品物を収納することができる。【選択図】図１
0003115690.tif 000002
【実用新案登録請求の範囲】
【請求項１】
容器の中心に中心基板１があり、中心基板１の左右側面にゴムバンド２を固定させるための溝３を作り、  ゴムバンド２を溝３に入れて中心基板１に装着する。ゴムバンド２が直接収納するカード状の品物に接しないよう外板４を用意して、ゴムバンド２を覆うように一方の端部を中心基板１の前面とゴムバンド２の間に挟み込み、他方の端部を中心基板１の後面とゴムバンド２の間に挟み、外板４を中心基板１の周囲を囲むように取り付けた容器の構造。
【考案の詳細な説明】
【技術分野】
【０００１】この考案は、各種カード類、名刺、紙幣、伝票等の平面上の形がほぼ一定なカード状の品物を収納する容器に関するものである。
【背景技術】
【０００２】平面上の形がほぼ一定の品物でもそれぞれ厚さが異なり、収納する数量によっても厚さが異なるため、様々な容器が必要になっている。近年、日常生活において、カード類が多種多様化して、多数持ち歩くことが多くなっている。使用目的に応じ、区別できることも必要で、厚さの大小に対応できる便利な容器が求められている。現在、カード類は財布と一緒に入れたり、定期入れ等と一緒に入れられていることが多いが、種類が多くなり、カード専用の容器も必要となっている。又、マークシート方式の投票カードによって、宝くじ、馬券、車券が発売されるようになり、記入するカードの利用が多くなっているが、これ等に対応する容器も必要になっている。
【考案の開示】
【考案が解決しようとする課題】
【０００３】現在使用されているカード類には、キャッシュカード、クレジットカード、健康保険証、運転免許証、印鑑登録証等、大切に保管すべきものと、商店が発行するポイントカード、路上で配られている宣伝カード等、重要度の低い物も数多くある。又、交通機関で使用されている定期券、オレンジカード、イオカード、バスカード等、毎日通勤通学に用いる物も有り多種多様である。これ等のものを整理し、使い易くするには、使用目的に応じて分別できることや、数枚のものが入れ易くできていることが必要条件である。即ち厚さが異なっても収納が容易にできるものが求められている。
【課題を解決するための手段】
【０００４】皮やビニール製の、財布や定期入れにカード類を一緒に入れて収納していることが多いが、材料の性質上、収縮性が悪く、追加して多くのカード類を収納することはできない。本考案は、数多くのカード類を収納できるよう収縮性の多い弾力のあるゴムの特性を応用したものである。以前より、品物を包装したり、束ねるのに輪ゴムが使用されている。しかしながら、ゴムは密着性があり、品物に触れると品物の出し入れが容易でなく、品物を頻繁に出し入れするのには不向きであるので、ゴムの表面が直接品物に接しないようにして、ゴムの収縮性の多い弾力だけを利用する構造にしたものである。【０００５】容器は、中心に中心基板を設け、これにゴムバンドを掛けて、中心基板とゴムバンドの間に収納するカード状の品物を挟んで定着させることを基本動作とした。ゴムバンドの位置が、移動しないように固定しなくてはならないので、左右対称の位置にゴムバンドの巾に適応した溝を作り、その溝にゴムバンドを入れて移動しないように固定する。次に、ゴムバンドが品物に直接触れないようにするため、密着性のない厚紙またはプラスチック板の外板を用意し、外板の一端を中心基板の前面とゴムバンドの間に挟みこみ、反対側の端を中心基板の後面とゴムバンドの間に挟み込む。ゴムバンドを外板で覆うようにして、中心基板の周囲に外板を取り付ける。このようにすれば、収納する品物とゴムバンドが接触しないので、品物の出し入れが容易にできるようになる。
【考案の効果】
【０００６】ゴムバンドの収縮性を利用したものであるから、収納する品物の厚さが異なってもそれに対応して、容器が可変するので数多くのものが収納できる。又、ゴムバンドが直接品物に触れることがないので、容器への出し入れが容易になる。ゴムバンドは中心基板の溝に入っているので移動することなく固定できる。
【考案を実施するための最良の形態】
【０００７】本考案は、ゴムの弾力ある収縮性を利用したものであるから、ゴムバンドの性質を充分利用しなければならない。ゴムバンドは比較的安価な材料であり、本考案の構造は簡単であるので安価な容器を作るのに適したものである。又、厚紙、プラスチック板を用いて製作すればより簡単に組み立てができるのも特徴である。
【実施例】
【０００８】図１は、この考案の実施例を示すもので、カードを収納するものである。容器の前面と後面に区別して収納できる構造で、（ａ）は平面図、（ｂ）は側面より見た図で（ｃ）は底面図である。図１において、１は容器の中心基板を示し、２はゴムバンド、３はゴムバンドを固定するために設けた溝で、４はゴムバンドを覆うために設けた外板である。外板４は一枚の板で作られていて、一方の端部は中心基板１の前面とゴムバンド２の間に挟み込み、他方の端部は中心基板１の後面とゴムバンド２の間に挟み込まれている。【０００９】図２は、この考案で構成された、カード入れの容器の前面にカード５を収納した作用説明図である。図２の（ａ）は容器の前面にカード５を収納した平面図で、（ｂ）は側面の状態を示すものである。カードは、中心基板１の前面、後面に区別して収納できる。カード５は中心基板１の前面と、ゴムバンド２の間に挟んで収納するが、外板４がゴムバンド２を覆っているのでカード５は直接ゴムバンド２に接することがないので、カード５がゴムバンド２に密着することはない。ゴムバンドの収縮性の弾力のみ利用し、数枚のカードを一緒に収納することも可能で、カードの厚さの大小に対応できる構造になっている。
【産業上の利用可能性】
【００１０】容器に収納する品物の形は千差万別であるが、カード、写真、名刺、紙幣等、平面上の形が規格化され、大きさがほぼ同じ品物は沢山ある。本考案の容器は前面、後面に区別することが可能で、厚さが可変できることも特徴で、構造が非常に簡単であるから携帯用として便利に用いることができ、利用性は広く応用できるものである。
【図面の簡単な説明】
【００１１】
【図１】この考案をカード入れとして用いた実施例を示すもので（ａ）は全体の平面図で（ｂ）は側面図である。（ｃ）は底面より見た図である。
【００１２】
【図２】この考案の実施例であるカード入れに、カード５を前面に収納した作用説明図である。（ａ）は全体の平面図で、（ｂ）はカード５が収納された時の状態を示したものである。
【符号の説明】
【００１３】１：  中心基板
２：  ゴムバンド
３：  ゴムバンド固定溝
４：  外板
５：  カード
【図１】
0003115690.tif 000003
【図２】
0003115690.tif 000004
【手続補正書】
【提出日】平成16年11月9日(2004.11.9)
【手続補正１】
【補正対象書類名】実用新案登録請求の範囲
【補正対象項目名】全文
【補正方法】変更
【補正の内容】
【実用新案登録請求の範囲】
【請求項１】
図面、図１において
（１）容器の中心に中心基盤１があり、中心基盤１の左右側面にゴムバンド２を固定する溝３を作る。
（２）ゴムバンド２を中心基盤左右のゴムバンド固定溝３に入れて装置する。
（３）四角形の外板４をＵ字形に折り曲げ、上部の先端をそれぞれ内側に折り曲げて、中心基盤１とゴムバンド２の間に挟みこむ。
以上の構成からなる容器の構造
【手続補正書】
【提出日】平成17年4月4日(2005.4.4)
【手続補正１】
【補正対象書類名】実用新案登録請求の範囲
【補正対象項目名】全文
【補正方法】変更
【補正の内容】
【実用新案登録請求の範囲】
【請求項１】
容器の主体なる四角形の中心基板１にゴムバンド２をはめ、中心基板１とゴムバンド２の間に収納するカード類を挟み込む構造の容器において、
（１）ゴムバンド２が固定するよう中心基板１の左右対称位置にゴムバンド２の巾に適応する溝を設け、ゴムバンド２を定着させる。
（２）四角形の外板を用意してＵ字形に折り曲げ、一方の先端を中心基板１の前面とゴムバンド２の間に逆Ｕ字形に折り曲げて挟み込む。他方の先端に中心基板１の後面とゴムバンド２の間に逆Ｕ字形に折り曲げ挟みこむ。
以上の構成からなる容器。